(57)【要約】 【課題】 外部との通信手段を有していない路線バスにおいて、新たな通信手段を設けることなく、定期券の更新処理を可能にする。【解決手段】  バスの運行開始前、運転手が営業所装置２１のＩＣカードリーダライタ４２に乗務員証２６をかざすと、更新要求のあった定期券のカードＩＤと更新条件とが乗務員証２６に記録される。乗務員がバスに乗車する際、ＩＣカードリーダライタ５２に乗務員証２６をかざすと、更新要求のあるカードＩＤと更新条件とが定期券更新装置２８の記憶部５３に記憶される。利用者がバスに乗車した際、定期券１１がＩＣカードリーダライタ５２にかざされると、読み取られたカードＩＤが更新要求されていると、その定期券１１の有効期限を更新する。【選択図】  図２
2006031061.tif 000002
【特許請求の範囲】
【請求項１】
更新要求のある定期券の更新を行う定期券更新装置であって、
ＩＣカードに記録された更新要求のある定期券識別情報および更新条件と、定期券に記録された定期券識別情報とを読み取る読み取り手段と、
前記ＩＣカードから読み取った定期券識別情報および更新条件を記憶する記憶手段と、
前記定期券から読み取った定期券識別情報が、前記記憶手段に記憶された定期券識別情報と一致するか否かを判定し、その定期券識別情報が一致すると、更新要求されている定期券と判定して前記記憶手段に記憶された更新条件に応じた内容に定期券の記録情報を更新する手段と、
を備えたことを特徴とする定期券更新装置。
【請求項２】
請求項１に記載の定期券更新装置において、定期券の更新処理を行った場合、更新処理結果を該当する定期券識別情報と対応させて前記記憶手段に記憶することを特徴とする定期券更新装置。
【請求項３】
更新要求のある定期券の更新を行う定期券更新方法であって、
定期券管理装置は、定期券ごとにその記録情報をデータベースで管理するとともに、更新したい定期券の定期券識別情報と更新条件とをＩＣカードに記録し、かつ、ＩＣカードに記録された更新処理結果を読み取り、更新処理された定期券の更新条件に基づき、定期券更新に対する精算処理を行い、
定期券更新装置は、ＩＣカードに記録された更新要求のある定期券識別情報と更新条件とを読み取ると、その定期券識別情報と更新条件とを記憶手段に記憶するとともに、当該記憶手段に記憶された定期券識別情報に対応する更新処理結果をＩＣカードに記録し、
定期券に記録された定期券識別情報を読み取ると、その定期券識別情報が前記記憶手段に更新要求として記憶されているか否かを調べ、更新要求として記憶されていれば、その定期券の記録情報をその更新条件に更新するとともに、その更新処理結果を定期券識別情報と対応させて前記記憶手段に記憶することを特徴とする定期券更新方法。
【発明の詳細な説明】
【技術分野】
【０００１】
この発明は路線バスや鉄道などの交通機関で利用される定期券に対し、その有効期間を更新するための定期券更新装置および定期券更新方法に関する。
【背景技術】
【０００２】
一般的には定期券利用者は、定期券を購入する際、所定の手続きを踏むために、定期券を発行できる装置を有する営業所（販売所）の窓口に出向いて購入を申請する。その申請に基づいて、申請条件が適合すれば、係員は定期券発行装置で定期券を発行する。定期券は、有効期間が１，３，６,１２ヶ月等、利用条件が普通、学生、福祉等の種類がある。
【０００３】
定期券の有効期限が切れる前からの更新、あるいは休日等があれば、期限が切れてからの更新（以下これら両者を更新と記す）を行うために定期券販売所に出向いて手続きする。この際に、更新分の金額をクレジットあるいは現金で支払う行為がなされる。この更新手続きには、かなり時間を要した。すなわち定期券発行装置が高額なためにこれを設けた販売所が少なく、列をなして待つ人で時間を要していた。
【０００４】
その対策として、定期券の有効期間の更新を行う旨の情報をその定期券の識別情報とともに外部、例えば駅装置から非接触式自動改札機に送信し、それらの情報を記憶しておき、前記記憶された識別情報と非接触式自動改札機において定期券から読み取られた識別情報とが一致すると、その定期券の有効期間の更新を行うものがある（例えば、特許文献１参照。）。
【０００５】
また、路線バスのように、駅装置と各車両との通信手段を有していない場合においても定期券の有効期間の更新が行えるものとして、予め定期券の有効期間の更新を行う旨の情報と、その定期券の識別情報とを着脱自在なメモリカートリッジに記憶しておき、バスの運行開始時に当該メモリカートリッジを路線バス内の運賃精算装置にセットすることにより、定期券更新に必要な情報を運賃精算装置に転送し、転送された識別情報と運賃精算装置において定期券から読み取られた識別情報とが一致すると、その定期券の有効期間の更新を行うものがある（例えば、特許文献２参照。）。
【特許文献１】特開２００１−２８３２６２号公報
【特許文献２】特開２００２−１３３４５０号公報
【発明の開示】
【発明が解決しようとする課題】
【０００６】
すべての路線バスに対し、駅装置との通信が可能となる通信手段を設けることは、コストの面で実現が難しい。また、メモリーカートリッジを介して定期券の有効期間の更新を行う旨の情報と、その定期券の識別情報とを各路線バスに転送する方式は、オンライン通信手段を設置するより安価にできるというメリットはあるものの、路線バスに搭載される運賃精算装置をメモリカートリッジ接続可能にしておく必要があるため、バス車両が多い場合、コスト増という問題が生じていた。
【０００７】
そこで本発明では、外部との通信手段を有していない路線バスまたは駅等において、新たな通信手段を設けることなく、定期券の更新処理に必要な情報を外部とやり取りできる定期券更新装置および定期券更新方法を提供することを目的とする。
【課題を解決するための手段】
【０００８】
前記目的を達成するために、本発明の請求項１に記載の定期券更新装置は、更新要求のある定期券の更新を行う定期券更新装置であって、ＩＣカードに記録された更新要求のある定期券識別情報および更新条件と、定期券に記録された定期券識別情報とを読み取る読み取り手段と、前記ＩＣカードから読み取った定期券識別情報および更新条件を記憶する記憶手段と、前記定期券から読み取った定期券識別情報が、前記記憶手段に記憶された定期券識別情報と一致するか否かを判定し、その定期券識別情報が一致すると、更新要求されている定期券と判定し、前記記憶手段に記憶された更新条件に応じた内容に定期券の記録情報を更新する手段とを備えたことを特徴とする。
【０００９】
請求項２に記載の定期券更新装置は、請求項１に記載の定期券更新装置において、定期券の更新処理を行った場合、更新処理結果を該当する定期券識別情報と対応させて前記記憶手段に記憶することを特徴とする。
【００１０】
請求項３に記載の定期券更新方法は、更新要求のある定期券の更新を行う定期券更新方法であって、定期券管理装置は、定期券ごとにその記録情報をデータベースで管理するとともに、更新したい定期券の定期券識別情報と更新条件とをＩＣカードに記録し、かつ、ＩＣカードに記録された更新処理結果を読み取り、更新処理された定期券の更新条件に基づき、定期券更新に対する精算処理を行い、定期券更新装置は、ＩＣカードに記録された更新要求のある定期券識別情報と更新条件とを読み取ると、その定期券識別情報と更新条件とを記憶手段に記憶するとともに、当該記憶手段に記憶された定期券識別情報に対応する更新処理結果をＩＣカードに記録し、定期券に記録された定期券識別情報を読み取ると、その定期券識別情報が前記記憶手段に更新要求として記憶されているか否かを調べ、更新要求として記憶されていれば、その定期券の記録情報をその更新条件に更新するとともに、その更新処理結果を定期券識別情報と対応させて前記記憶手段に記憶することを特徴とする。
【発明の効果】
【００１１】
請求項１に記載の定期券更新装置によれば、定期券から読み取った定期券識別情報が、ＩＣカードから読み取った更新要求のある定期券識別情報と一致すると、更新条件に応じた定期券の更新処理がされる。したがって、新たな通信手段を設けることなく、更新要求のある定期券に対する更新処理が可能となる。
【００１２】
請求項２に記載の定期券更新装置によれば、請求項１に記載の定期券更新装置の効果に加えて、定期券の更新処理を行った場合、更新処理結果が該当する定期券識別情報と対応して記憶手段に記憶される。したがって、更新処理の完了した定期券と完了していない定期券とを識別することが可能となる。
【００１３】
請求項３に記載の定期券更新方法によれば、定期券ごとにその記録情報がデータベースで管理され、更新したい定期券の定期券識別情報と更新条件とが定期券管理装置でＩＣカードに記録される。さらに、ＩＣカードに記録された更新処理結果が読み取られると、更新処理された定期券の更新条件に基づき、定期券更新に対する精算処理がされる。また、当該ＩＣカードが定期券更新装置で読み取られると、その定期券識別情報と更新条件とが記憶手段に記憶され、定期券から読み取った定期券識別情報が、前記記憶手段に記憶された更新要求のある定期券識別情報と一致すると、更新条件に応じた定期券の更新処理がされ、その更新処理結果が定期券識別情報と対応して前記記憶手段に記憶される。
【００１４】
以上述べたように、本発明によれば、定期券から読み取った定期券識別情報が、ＩＣカードから読み取った更新要求のある定期券識別情報と一致すると、更新条件に応じた定期券の更新処理がされる。したがって、新たな通信手段を設けることなく、更新要求のある定期券に対する更新処理が可能となる。
【発明を実施するための最良の形態】
【００１５】
以下、本発明を路線バスの定期券更新装置に具体化した一実施形態を説明する。図１は路線バスの定期券１１の記録内容を示したものである。定期券１１は読み書き可能な記録媒体、例えば非接触形式のＩＣカードにより構成され、利用者の氏名、利用路線名、利用区間、つまり乗降する両端の駅名、必要に応じて乗継又は経由駅名、有効期日（○年○月○日−○年○月○日）、有効期間（○カ月）、金額、定期券１１の識別情報（カードＩＤ）、年令、性別、発行会社名などが記録される。なお、定期券１１を初めて購入する場合は、従来の購入方法と同様に、例えば利用する交通機関の定期券販売所に出向いて所定の手続きを行うことにより定期券を購入することができる。
【００１６】
発行された定期券１１の各種情報は、定期券管理装置１４で管理される。図２に示すように、定期券販売所の定期券発行装置１２をインターネットなどのデータ通信網１３を介して定期券管理装置１４と接続し、定期券１１を発行した際に得たその定期券１１に関する情報を定期券管理装置１４へ送信し、定期券管理装置１４は各定期券１１ごとにデータベース１５で管理する。データベース１５には例えば図３に示すように、定期券１１ごとに、発行会社名、利用者氏名、その利用者の識別番号（ＵＩＤ、例えば暗証番号）、カードＩＤ、利用路線、利用区間、種別、期間、有効期日、金額、発行日、年令、性別、発行場所、住所、電話番号、口座番号、更新要求受付日、更新条件として更新開始日と期間、更新日時、更新路線、駅などを記録する。口座番号は定期券１１の更新に対する金額をその利用者の銀行口座から引き落すために、定期券１１を購入した際に予め申告してもらったものである。銀行口座番号の代りにクレジットカード番号などでもよい。
【００１７】
定期券１１の有効期限が近づき、定期券１１の更新をしたい場合は、その利用者は定期券管理装置１４に通信手段により更新要求をする。例えば、図２に示すように利用者１６は電話機１７により、利用している交通機関の申請部署、例えば営業所１８、旅行会社などの取り扱い店１９、定期券販売所などへ電話して更新要求をする。この更新要求は利用者名、暗証番号、更新条件（○年○月○日から○カ月、あるいは単に○カ月）などを伝えて行う。この電話を受けた者は、その営業所装置２１あるいは取扱店装置２２にその更新要求をデータ入力して、定期券管理装置１４へデータ通信網１３を介して送信する。
【００１８】
図４に定期券管理装置１４の構成を示す。定期券管理装置１４はコンピュータによりプログラムを実行させて動作させる構成とされる。即ち、データ通信網１３を介して定期券発行装置１２などとの通信を行う送受信部３１、データベース１５、記憶部３３、プログラムが格納されたメモリ３４、入力手段３５、ＣＰＵ３６がバス３７に接続され、さらに、時計３８がが前記バス３７に接続され、ＣＰＵ３６がメモリ３４内のプログラムを実行して動作する。
【００１９】
図５に定期券管理装置１４の処理手順を説明する。定期券管理装置１４は、定期券の更新要求を受信すると（図５Ａ、Ｓ１）、更新要求に対する審査を行い、更新要求情報中の利用者名又は／及び暗証番号をキーとしてデータベース１５を検索して、その定期券に関する情報記録欄中の更新要求受付日の項にその受付け日を、更新条件の更新開始日の項、期間の項にそれぞれの受信対応情報の内容をそれぞれ記録する（Ｓ２）。なお有効期限が切れた翌日から更新開始とする場合は、更新開始日を省略してもよい。休日などで有効期限が切れた後から次の有効期限を設定したい場合は更新開始日も送る。なお、電話による更新要求の代わりに、利用者がパーソナルコンピュータ２５を操作して、前記更新要求情報を入力して、定期券管理装置１４へ直接送信してもよい。
【００２０】
定期券管理装置１４は定期的、例えば１日に１回、所定時刻になると（図５Ｂ、Ｓ１）データベース１５中の更新要求受付日の項を検索し、これに日付が記録されている各定期券識別情報（カードＩＤ）と更新条件を読み出し（Ｓ２）、これらをデータ通信網１３又は専用回線を通じて各営業所装置２１へ送信する（Ｓ３）。前記更新要求を受付けたカードＩＤと更新条件の他に、利用路線も読み出し、これらを送信するようにしてもよい。あるいは営業所により統括する利用路線が異なる場合は、その営業所ごとの利用路線ごとに読み出したカードＩＤと更新条件を分けて、これら分けたものを対応する営業所装置２１に送信してもよい。なお、更新要求を受付けるごとにそのカードＩＤと更新条件を各営業所装置２１又は利用路線の営業所装置２１へ送信するようにしてもよい。
【００２１】
定期券管理装置１４は図５Ｃに示すように、後述する更新済カードデータを受信すると（Ｓ１）、これを記憶部３３に一時記憶し（Ｓ２）、その後、データベース１５中のそのカードＩＤの欄中の更新日時項に更新した日時を、更新路線、駅項に更新した路線／停留所、必要に応じて車両番号を記録し、また必要に応じて更新要求受付日の項の日付を消去して、この定期券１１は更新処理が終了したことのフラグとする（Ｓ３）。次にその口座番号の項を読み出し、必要に応じて住所、氏名も読み出し、これらをその銀行に送り、定期券更新に基づく料金の引き落し要求を行う、つまり決済処理を行う（Ｓ４）。なお前記更新要求受付日の消去はこの決済処理後でもよい。またこの決済処理は更新要求を受付けた時に行ってもよい。あるいは更新要求を受付けた時、又は更新処理が終了した時に、利用者に更新料金の請求書を送ってもよい。特に会社など集団に対しては、予めまとまった金額を受取っておき、その集団に属する利用者の定期券の更新料を、その受取った金額から引き落してもよく、あるいは定期的にそれまでの更新料金を合計してその集団に請求するようにしてもよい。
【００２２】
次に、図６に営業所装置２１の構成を示す。営業所装置２１は例えばコンピュータによりプログラムを実行させて動作させる構成とされる。即ち、定期券管理装置１４などとの通信を行う送受信部４１、ＩＣカードリーダライタ４２、記憶部４３、プログラムが格納されたメモリ４４、入力手段４５、ＣＰＵ４６がバス４７に接続され、ＣＰＵ４６がメモリ４４内のプログラムを実行して動作する。
【００２３】
営業所装置２１の処理手順を図７に示す。定期券管理装置１４から送信された前記カードＩＤとその更新条件、つまり更新要求データを送受信部４１で受信すると（図７Ａ、Ｓ１）、更新要求データを記憶部４３に一時記憶する（Ｓ２）。
【００２４】
バスの運転手（乗務員）はその日の運行を始める前に、バス営業所１８の営業所装置２１のＩＣカードリーダライタ４２に乗務員証２６を読み取らせる。乗務員証２６はＩＣカードによって構成されており、ＩＣカードリーダライタ４２に乗務員証２６がかざされると（図７Ｂ、Ｓ１）、前記記憶部４３に記憶されている更新要求データを乗務員証２６内の更新要求記憶領域２６ａに記憶する（Ｓ２）。そして、前記更新要求データが記憶された乗務員証２６を持ってバス車両２７に乗車し、後述するバス車両内の定期券更新装置２８に乗務員証２６を読み取らせる。
【００２５】
バスの運転手がその日の運行を終えると、バス営業所１８の営業所装置２１のＩＣカードリーダライタ４２に乗務員証２６を読み取らせる。ＩＣカードリーダライタ４２に乗務員証２６がかざされると（図７Ｃ、Ｓ１）、乗務員証２６内の更新要求記憶領域２６ａに記憶された更新済データ（定期券の更新された日時、更新された路線および停留所データ）を読取り（Ｓ２）、読み取った更新済データを記憶部４３に記憶する（Ｓ３）。その後、更新要求記憶領域２６ａから読み取った更新済データを送受信部３１を通じて定期券管理装置１４へ送信する（Ｓ４）。
【００２６】
次に、定期券更新装置２８の構成を図８に示す。なお、この実施形態においては、定期券更新装置２８はカード式乗車券処理装置と兼用されるものとする。即ち、定期券更新装置２８は、定期券の更新処理とカード式乗車券による運賃精算処理を行うもので、定期券１１および乗務員証２６に対しその記録情報の読み出し、書替えを行うＩＣカードリーダライタ５２、記憶部５３、プログラムが格納されたメモリ５４、ＣＰＵ５６がバス５７に接続され、さらに、時計５８、表示部５９が前記バス５７に接続され、ＣＰＵ５６がメモリ５４内のプログラムを実行して動作する。
【００２７】
乗務員証２６内の更新要求記憶領域２６ａは例えば図９に示すように、各カードＩＤごとに更新条件、更新日時、更新路線又は停留所および更新処理した車両番号をそれぞれ記録する項が設けられ、バスの運行前に、営業所において乗務員証２６をＩＣカードリーダライタ４２にかざした際には、カードＩＤと更新条件のみが記録されている。
【００２８】
定期券更新装置２８の処理手順を図１０に示す。バスの運転手は、営業所装置２１のＩＣカードリーダライタ４２を介して更新要求データが記憶された乗務員証２６を持ってバス車両２７に乗車する。乗務員証２６が定期券更新装置２８（この例ではカード式乗車券処理装置と兼用）のＩＣカードリーダライタ５２にかざされると（図１０Ａ、Ｓ１）、乗務員番号と更新要求データが読取られ（Ｓ２）、乗務員証に定期券の更新要求データが書込まれていると（Ｓ３）、その更新要求データが定期券更新装置２８の記憶部５３に記憶される（Ｓ４）。
【００２９】
定期券更新装置２８、この例ではカード式乗車券処理装置２８に対し、均一区間料金制の定期券（そのバス路線の何れの停留所から乗車して何れの停留所で降車しても同一運賃）は一般にバス乗車時にのみ定期券１１をＩＣカードリーダライタ５２にかざして（図１０Ｂ、Ｓ１）、定期券１１の記録情報を読み取らせる（Ｓ２）。多区間料金制の定期券（乗車している区間表に応じた運賃を支払う）は乗車時と降車時に定期券１１をＩＣカードリーダライタ４２にかざして定期券１１の記録情報を読み取らせる。
【００３０】
定期券１１から読み取ったカードＩＤと一致するカードＩＤが記憶部５３に記憶されているか否かを調べ（Ｓ３）、一致するものがなければ通常の処理、つまりその定期券１１が有効なものであるかを調べる（Ｓ４）。ステップＳ３で一致するものがあれば、その一致したカードＩＤの更新条件に、その定期券１１の記録情報をＩＣカードリーダライタ５２で書替える（Ｓ５）。つまりこのようにして定期券１１の有効期限の更新が、定期券１１を利用して乗車する際に行う通常の動作、この例ではＩＣカードリーダライタ５２に定期券１１をかざすという動作のみで自動的に行える。
【００３１】
この更新した定期券のカードＩＤと、更新した日時と、更新した路線又は停留所とを記憶部４３に一旦記憶し（Ｓ６）、通常処理（Ｓ４）に移る。従って乗車時に、定期券１１の有効期限が切れていても、更新条件の更新開始日がその日以前であれば、その定期券１１は有効なものとして処理される。
【００３２】
路線バスの運行を終えた運転手がバスから降車する際、乗務員証２６をＩＣカードリーダライタ５２にかざすと（図１０Ｃ、Ｓ１）、乗務員証２６の乗務員番号が読取られ（Ｓ２）、前記記憶部５３に定期券の更新した日時、更新した路線および停留所データが記憶されていると（Ｓ３）、乗務員証２６の更新要求記憶領域２６ａのそのカードＩＤに対応するエリアに更新済データ、即ち、定期券の更新した日時、更新した路線および停留所データが記憶され（Ｓ４）、前記記憶部５３に記憶されていたカードＩＤ、更新条件および更新済データはクリアされる（Ｓ５）。
【００３３】
上述したように、定期券管理装置１４は更新要求のあった定期券のカードＩＤと更新条件とを営業所装置２１に送信し、営業所装置２１は送信された定期券のカードＩＤと更新条件とをＩＣカードリーダライタ４２を介して乗務員証２６に記録し、定期券更新装置２８はＩＣカードリーダライタ５２に乗務員証２６がかざされると、乗務員証２６に記録された更新要求のあった定期券のカードＩＤと更新条件とを読み取り、記憶部５３に記憶する。乗客がバスに乗車する際、カード式乗車券処理装置２８のＩＣカードリーダライタ５２に定期券１１がかざされると、記憶部５３を参照して、その定期券のカードＩＤが記憶部５３に記憶されているか確認される。一致するカードＩＤが記憶部５３に記憶されていなければ通常の定期券による精算処理が行われ、一致するものがあれば、その一致したカードＩＤの更新条件に、その定期券１１の記録情報をＩＣカードリーダライタ５２で書替える。つまり、ＩＣカードからなる乗務員証２６を介して更新要求のあった定期券１１のカードＩＤと更新条件とを定期券更新装置に送信することにより、メモリカートリッジの読み取り／書き込み手段を追加することなく、従来のカード式乗車券処理装置に設けられているＩＣカードリーダライタを用いてバス車内での定期券の更新処理が可能となる。
【００３４】
また、更新済データ（定期券の更新された日時、更新された路線および停留所データ）を定期券更新装置２８のＩＣカードリーダライタ５２によって乗務員証２８に記録し、営業所装置２１でその乗務員証に記録された更新済データを読み取り、その更新済データを定期券管理装置１４に送信することにより、メモリカートリッジの読み取り／書き込み手段を追加することなく、従来のカード式乗車券処理装置に設けられているＩＣカードリーダライタを用いて定期券の更新処理結果を定期券管理装置１４に送信することができる。
【００３５】
なお、ステップ図１０ＣのステップＳ５の記憶部５３のクリアについては、運行終了の都度行うのではなく、必要に応じて、例えば、図示しないクリアボタンが押されるまでデータを保存するようにしてもよい。また、多区間用定期券１１においては、乗車側カード式乗車券処理装置のＩＣカードリーダライタ５２に定期券１１をかざし、その記録情報を読み取らせ、バス車両２７内の図示しないデジタル運賃表示器から送られたバス車両２７の現在の停留所情報や時計５８からの現在の日時情報などに基づき、定期券１１の有効性が判定される。降車時に降車側カード式乗車券処理装置２８のＩＣカードリーダライタ５２に定期券１１をかざし、その記録情報を読み取らせ、降車側カード式乗車券処理装置２８は図８に示した構成を備え、図１０に示した処理を行い、つまり更新要求のあるカードＩＤが乗務員証２６に記録してあれば更新処理を行い、通常処理（図１０Ｂ、Ｓ４）における有効性判定は乗車側の処理と同様に行う。
【００３６】
また、上述した実施形態では、更新要求データを乗務員証２６に記録する例を記載したが、乗務員証とは別の専用のＩＣカードを用いるようにしてもよい。また、乗務員証２６に運行時の乗降客データや、運行に要した時間などを記録するようにしてもよい。この場合であっても、メモリカートリッジの読み取り／書き込み手段を追加することなく、従来のカード式乗車券処理装置に設けられているＩＣカードリーダライタを用いてバス車内での定期券の更新処理が可能となる。
【００３７】
また、定期券の更新を行う場合、利用者が定期券管理装置１４に更新要求する例を記載したが、定期券購入時、予め自動更新する旨を選択することにより、更新中止の要求がない限り、定期券の有効期間が切れないよう自動的に更新要求がされるようにしてもよい。
【図面の簡単な説明】
【００３８】
【図１】定期券１１の記録内容の例を示す図。
【図２】この発明方法が適用されるシステム構成の例を示す図。
【図３】定期券管理装置１４のデータベース１５の記録情報の例を示す図。
【図４】定期券管理装置１４の構成例を示す図。
【図５】定期券管理装置１４の各種の処理手順の例を示す流れ図。
【図６】営業所装置２１の構成例を示す図。
【図７】営業所装置２１の処理手順の例を示す流れ図。
【図８】この発明の定期券更新装置２８の構成例を示す図。
【図９】乗務員証２６の更新要求記憶領域２６ａの記憶内容例を示す図。
【図１０】この発明の定期券更新装置２８の処理手順の例を示す流れ図。
【符号の説明】
【００３９】
１１  定期券、１２  定期券発行装置、１４  定期券管理装置、１５  データベース、
２１  営業所装置、２６  乗務員証、２８  定期券更新装置、４２  営業所装置におけるＩＣカードリーダライタ、５２  定期券更新装置にけるＩＣカードリーダライタ。
【図１】
2006031061.tif 000003
【図２】
2006031061.tif 000004
【図３】
2006031061.tif 000005
【図４】
2006031061.tif 000006
【図５】
2006031061.tif 000007
【図６】
2006031061.tif 000008
【図７】
2006031061.tif 000009
【図８】
2006031061.tif 000010
【図９】
2006031061.tif 000011
【図１０】
2006031061.tif 000012